(57)【特許請求の範囲】
【請求項１】
原稿に光を照射する光源と、
前記原稿から反射された光を受光し、前記原稿の画像を示すアナログ画像信号を出力する撮像素子と、
前記撮像素子にクロック信号を含むデジタル制御信号を供給する第１の周辺回路と、
前記撮像素子から出力された前記アナログ画像信号を含むアナログ出力信号が入力し、前記アナログ画像信号に所定の処理をする第２の周辺回路と、
前記撮像素子と前記第１の周辺回路とに接続され、前記デジタル制御信号を伝送する第１の配線と、
前記撮像素子と前記第２の周辺回路とに接続され、前記アナログ出力信号を伝送する第２の配線と、
前記第１の配線から輻射される第１の電磁波及び前記第２の配線から輻射される第２の電磁波のレベルを測定するレベル測定部と、
前記レベル測定部によって測定された前記第１の電磁波のレベルと前記第２の電磁波のレベルとの差が、予め定められた範囲内になるように、前記光源へ供給される電力を制御する第１の電力制御部と、を備える画像読取装置。
【請求項２】
前記光源と前記撮像素子とを副走査方向に移動可能にする移動手段を備え、
前記第１の周辺回路及び前記第２の周辺回路は、前記移動手段による移動の対象に含まれていない請求項１に記載の画像読取装置。
【請求項３】
前記レベル測定部は、前記第２の配線よりも前記第１の配線に近い位置に設けられ、前記第１の電磁波を受信する第１のアンテナと、前記第１の配線よりも前記第２の配線に近い位置に設けられ、前記第２の電磁波を受信する第２のアンテナと、を含む請求項１又は２に記載の画像読取装置。
【請求項４】
前記第１のアンテナと前記第２のアンテナとの間に配置され、前記第１のアンテナ側に前記第１の配線、前記第２のアンテナ側に前記第２の配線をそれぞれ収容したフラットケーブルを備える請求項３に記載の画像読取装置。
【請求項５】
前記第１の電力制御部の替わりに、前記レベル測定部によって測定された前記第２の電磁波のレベルが前記第１の電磁波のレベルより高い場合、前記第１の電磁波のレベルと前記第２の電磁波のレベルとの差が、予め定められた範囲内になるように、前記光源へ供給される電力を制御し、前記第２の電磁波のレベルが前記第１の電磁波のレベルより低い場合、前記制御を実行しない第２の電力制御部を備える請求項１〜４のいずれいか一項に記載の画像読取装置。
【請求項６】
請求項１〜５のいずれか一項に記載の画像読取装置を備え、
前記第２の周辺回路は、前記アナログ画像信号をデジタル画像信号に変換する機能を有する回路であり、
前記画像読取装置から出力された前記デジタル画像信号で示される画像を用紙に形成する画像形成部と、を備える画像形成装置。
【発明の詳細な説明】
【技術分野】
【０００１】
本発明は、画像読取装置及びそれを備えた画像形成装置に関し、特に、不要輻射に対処する技術に関する。
【背景技術】
【０００２】
電磁妨害(ＥＭＩ:Electro-Magnetic Interference)とは、不要輻射と称される電子機器から放射される電磁波が原因で、機器に不具合(例えば、誤動作)が生じる現象である。
【０００３】
不要輻射に対処できる装置として、通信装置が使用する伝送路の輻射電波を測定する測定部と、測定部が測定した輻射電波の測定値を、予め設定された基準値と比較する比較部とを備え、比較部は、測定値が基準値を超えた場合、比較結果をその通信装置に通知する輻射情報管理装置が提案されている(例えば、特許文献１参照)。
【先行技術文献】
【特許文献】
【０００４】
【特許文献１】特開２００５−３１８５５７号公報
【発明の概要】
【発明が解決しようとする課題】
【０００５】
画像読取装置の撮像素子(例えば、ＣＣＤセンサー)から出力される画像信号がアナログの場合、この画像信号は不要輻射の輻射源となる。アナログ画像信号のレベルは、光源から撮像素子に照射される光の量のばらつきが原因で、不安定である。光量がばらつく原因としては、光源毎の照度のばらつき、光源の温度特性による照度のばらつき、光源の経年変化による照度の低下、ミラーの汚れやミラー毎の反射率のばらつきによる反射光学系の反射率のばらつき等が挙げられる。
【０００６】
光源から撮像素子への光量のばらつきが、光量が増大する条件となる場合に、アナログ画像信号が原因となる不要輻射のレベルが大きくなる。光量のばらつきは、上記原因で発生するので、光量のばらつきの範囲を特定できない。このため、アナログ画像信号が原因で不要輻射のレベルが、例えば、ＩＥＣ(International Electrotechnical Commission)やＣＩＳＰＲ(Comite international Special des Perturbations Radioelectriques)等の規格で定められた規制値を超える可能性がある。
【０００７】
なお、アナログ画像信号のレベルの変動が、画像読取装置によって読み取った画像の画質に影響を与えないようにするために、周辺回路において、その変動が補正された後、画像信号はアナログからデジタルに変換される。光源の照度の下限は、光源から撮像素子への光量のばらつきを考慮して、上記補正後の画質が所定の基準を下回らないように設定される。
【０００８】
ところで、画像読取装置には、副走査方向に移動可能なキャリッジに、光源及び光学系に加えて、撮像素子を収容したタイプのものがある。このタイプでは、光源、光学系及び撮像素子がキャリッジに配置されるので、画像読取装置をコンパクト化しにくい欠点を有するが、光学系の精度を保ちやすい利点を有する。
【０００９】
しかし、上記タイプでは、撮像素子がキャリッジに配置されているので、撮像素子と周辺回路とを接続するケーブルが比較的長くなる。従って、撮像素子から出力されるアナログ画像信号が輻射源となる不要輻射のレベルが、大きくなることが考えられる。
【００１０】
本発明は、撮像素子から出力されるアナログ画像信号による不要輻射のレベルを抑えることが可能な画像読取装置及び画像形成装置を提供することを目的とする。
【課題を解決するための手段】
【００１１】
上記目的を達成する本発明の一局面に係る画像読取装置は、原稿に光を照射する光源と、前記原稿から反射された光を受光し、前記原稿の画像を示すアナログ画像信号を出力する撮像素子と、前記撮像素子にクロック信号を含むデジタル制御信号を供給する第１の周辺回路と、前記撮像素子から出力された前記アナログ画像信号を含むアナログ出力信号が入力し、前記アナログ画像信号に所定の処理をする第２の周辺回路と、前記撮像素子と前記第１の周辺回路とに接続され、前記デジタル制御信号を伝送する第１の配線と、前記撮像素子と前記第２の周辺回路とに接続され、前記アナログ出力信号を伝送する第２の配線と、前記第１の配線から輻射される第１の電磁波及び前記第２の配線から輻射される第２の電磁波のレベルを測定するレベル測定部と、前記レベル測定部によって測定された前記第１の電磁波のレベルと前記第２の電磁波のレベルとの差が、予め定められた範囲内になるように、前記光源へ供給される電力を制御する第１の電力制御部と、を備える。
【００１２】
本発明の一局面では、クロック信号を含むデジタル制御信号が伝送される第１の配線から輻射される第１の電磁波及びアナログ画像信号を含むアナログ出力信号が伝送される第２の配線から輻射される第２の電磁波のレベルを、レベル測定部によって測定する。そして、レベル測定部によって測定された第１の電磁波のレベルと第２の電磁波のレベルとの差が、予め定められた範囲内になるように、第１の電力制御部が、光源へ供給される電力を制御する。
【００１３】
第１の電磁波は撮像素子に入力されるデジタル制御信号に含まれるクロック信号が輻射源となる不要輻射であり、第２の電磁波は撮像素子から出力されたアナログ出力信号に含まれるアナログ画像信号が輻射源となる不要輻射である。クロック信号による不要輻射のレベルは、光源の照度に依存していないが、アナログ画像信号による不要輻射のレベルは、光源の照度に依存している。また、クロック信号は安定しているので、クロック信号が輻射源となる不要輻射のレベルは安定している。本発明の一局面によれば、クロック信号からの不要輻射のレベルを基準にして、アナログ画像信号からの不要輻射のレベルが、予め定められた範囲内になるように、光源へ供給される電力を制御している。従って、撮像素子から出力されるアナログ画像信号による不要輻射のレベルを抑えることが可能となる。予め定められた範囲とは、例えば、画像読取装置で発生する不要輻射のレベルが規制値を超えないように、アナログ画像信号からの不要輻射のレベルとして許容される上限値(又は、余裕を持たせるために上限値より少し低い値)を超えないようにする範囲をいう。
【００１４】
また、本発明の一局面によれば、基準となるレベルをクロック信号からの不要輻射のレベルにするので、画像読取装置の製造工程にいて、基準となるレベルの設定が不要となる。
【００１５】
さらに、本発明の一局面によれば、クロック信号による不要輻射のレベルとアナログ画像信号による不要輻射のレベルとの差が、予め定められた範囲内になるように、光源へ供給される電力を制御している。これにより、光源の光量がフィードバック制御されることになるので、光源の照度を所定の範囲に規制することができる。従って、読み取った画像の画質の安定化に寄与することができる。
【００１６】
上記構成において、前記光源と前記撮像素子とを副走査方向に移動可能にする移動手段を備え、前記第１の周辺回路及び前記第２の周辺回路は、前記移動手段による移動の対象に含まれていない。
【００１７】
この構成は、撮像素子が副走査方向に移動可能であり、第１の周辺回路及び第２の周辺回路が移動しないタイプの画像読取装置なので、第１の配線及び第２の配線が長くなる。このため、第１の電磁波及び第２の電磁波のレベルが比較的大きくなる。上述したように、本発明の一局面によれば、撮像素子から出力されるアナログ画像信号による不要輻射のレベルを抑えることが可能となるので、本発明の一局面は、上記タイプの画像読取装置にとって特に有効となる。
【００１８】
上記構成において、前記レベル測定部は、前記第２の配線よりも前記第１の配線に近い位置に設けられ、前記第１の電磁波を受信する第１のアンテナと、前記第１の配線よりも前記第２の配線に近い位置に設けられ、前記第２の電磁波を受信する第２のアンテナと、を含む。
【００１９】
この構成では、第１のアンテナが第１の配線に近い位置に設けられているので、第１のアンテナは、クロック信号による不要輻射(第１の電磁波)及びアナログ画像信号による不要輻射(第２の電磁波)のうち、主に、クロック信号による不要輻射を受信できる。一方、第２のアンテナが第２の配線に近い位置に設けられているので、第２のアンテナは、クロック信号による不要輻射及びアナログ画像信号による不要輻射のうち、主に、アナログ画像信号による不要輻射を受信できる。よって、この構成によれば、クロック信号による不要輻射のレベル及びアナログ画像信号による不要輻射のレベルの測定精度を向上させることができる。従って、例えば、画像読取装置で発生する不要輻射のレベルが、規制値を超えないようにする精度を向上させることができる。
【００２０】
上記構成において、前記第１のアンテナと前記第２のアンテナとの間に配置され、前記第１のアンテナ側に前記第１の配線、前記第２のアンテナ側に前記第２の配線をそれぞれ収容したフラットケーブルを備える。
【００２１】
この構成によれば、第１のアンテナを第１の配線の近くに配置しつつ、第２の配線から離して配置することができると共に、第２のアンテナを第２の配線の近くに配置しつつ、第１の配線から離して配置することができる。よって、クロック信号による不要輻射のレベル及びアナログ画像信号による不要輻射のレベルの測定精度を向上させることができる。
【００２２】
上記構成において、前記第１の電力制御部の替わりに、前記レベル測定部によって測定された前記第２の電磁波のレベルが前記第１の電磁波のレベルより高い場合、前記第１の電磁波のレベルと前記第２の電磁波のレベルとの差が、予め定められた範囲内になるように、前記光源へ供給される電力を制御し、前記第２の電磁波のレベルが前記第１の電磁波のレベルより低い場合、前記制御を実行しない第２の電力制御部を備える。
【００２３】
この構成によれば、第２の電磁波(アナログ画像信号による不要輻射)のレベルが第１の電磁波(クロック信号による不要輻射)のレベルより高い場合に限り、これらの電磁波のレベルの差が、予め定められた範囲内になるように、光源へ供給される電力を制御する。
【００２４】
クロック信号は安定しているので、クロック信号による不要輻射のレベルは安定している。このため、画像読取装置で発生する不要輻射が規制値を超える可能性があるのは、アナログ画像信号による不要輻射のレベルが、クロック信号による不要輻射のレベルよりも高い場合である。この構成によれば、アナログ画像信号による不要輻射のレベルが、クロック信号による不要輻射のレベルより低い場合、これらの電磁波のレベルの差が、予め定められた範囲内になるように、光源へ供給される電力を制御する処理をしない。これにより、第２の電力制御部の負担を減らすことが可能となる。
【００２５】
本発明の他の局面に係る画像形成装置は、前記画像読取装置を備え、前記第２の周辺回路は、前記アナログ画像信号をデジタル画像信号に変換する機能を有する回路であり、前記画像読取装置から出力された前記デジタル画像信号で示される画像を用紙に形成する画像形成部と、を備える。
【００２６】
本発明の他の局面に係る画像形成装置は、本発明の一局面に係る画像読取装置を備えるので、上述した本発明の一局面に係る画像読取装置の作用及び効果を得ることができる。
【発明の効果】
【００２７】
本発明によれば、撮像素子から出力されるアナログ画像信号による不要輻射のレベルを抑えることが可能となる。
【図面の簡単な説明】
【００２８】
【図１】本発明の一実施形態に係る画像読取装置を備えることが可能な画像形成装置の内部構造の概略を示す図である。
【図２】図１に示す画像形成装置の構成を示すブロック図である。
【図３】本実施形態に係る画像読取装置の構成を示すブロック図である。
【図４】第１の配線、第２の配線、第１のアンテナ及び第２のアンテナの位置関係を示す図である。
【図５】光源の照度とクロック信号及びアナログ画像信号による不要輻射との関係を具体的数値で示す図である。
【図６】本実施形態に係る画像読取装置の動作を説明するフローチャートである。
【図７】本実施形態の変形例の動作を説明するフローチャートである。
【発明を実施するための形態】
【００２９】
以下、図面に基づいて本発明の実施形態を詳細に説明する。図１は、本発明の一実施形態に係る画像読取装置を備えることが可能な画像形成装置１の内部構造の概略を示す図である。画像形成装置１は例えば、コピー、プリンター、スキャナー及びファクシミリの機能を有するデジタル複合機に適用することができる。画像形成装置１は装置本体１００、装置本体１００の上に配置された原稿読取部２００、原稿読取部２００の上に配置された原稿給送部３００及び装置本体１００の上部前面に配置された操作表示部４００を備える。
【００３０】
原稿給送部３００は自動原稿送り装置として機能し、原稿載置部３０１に置かれた複数枚の原稿を連続的に原稿読取部２００に送ることができる。
【００３１】
原稿読取部２００は光源及びＣＣＤ(Charge Coupled Device)センサー等を搭載したキャリッジ２０１、ガラス等の透明部材により構成された原稿台２０３、原稿読取スリット２０５及びシェーディング補正用の基準原稿(基準白板)２０６を備える。原稿台２０３に載置された原稿を読み取る場合、キャリッジ２０１を原稿台２０３の長手方向に移動させながらＣＣＤセンサーにより原稿を読み取る。これに対して、原稿給送部３００から給送された原稿を読み取る場合、キャリッジ２０１を原稿読取スリット２０５と対向する位置に移動させて、原稿給送部３００から送られてきた原稿を、原稿読取スリット２０５を通してＣＣＤセンサーにより読み取る。ＣＣＤセンサーは読み取った原稿を画像データとして出力する。
【００３２】
装置本体１００は用紙貯留部１０１、画像形成部１０３及び定着部１０５を備える。用紙貯留部１０１は装置本体１００の最下部に配置されており、用紙の束を貯留することができる用紙トレイ１０７を備える。用紙トレイ１０７に貯留された用紙の束において、最上位の用紙がピックアップローラー１０９の駆動により、用紙搬送路１１１へ向けて送出される。用紙は用紙搬送路１１１を通って、画像形成部１０３へ搬送される。
【００３３】
画像形成部１０３は搬送されてきた用紙にトナー画像を形成する。画像形成部１０３は感光体ドラム１１３、露光部１１５、現像部１１７及び転写部１１９を備える。露光部１１５は画像データ(原稿読取部２００から出力された画像データ、パソコンから送信された画像データ、ファクシミリ受信の画像データ等)に対応して変調された光を生成し、一様に帯電された感光体ドラム１１３の周面に照射する。これにより、感光体ドラム１１３の周面には画像データに対応する静電潜像が形成される。この状態で感光体ドラム１１３の周面に現像部１１７からトナーを供給することにより、周面には画像データに対応するトナー画像が形成される。このトナー画像は転写部１１９によって先ほど説明した用紙貯留部１０１から搬送されてきた用紙に転写される。
【００３４】
トナー画像が転写された用紙は定着部１０５に送られる。定着部１０５において、トナー画像と用紙に熱と圧力が加えられて、トナー画像は用紙に定着される。用紙はスタックトレイ１２１又は排紙トレイ１２３に排紙される。
【００３５】
操作表示部４００は操作キー部４０１と表示部４０３を備える。表示部４０３はタッチパネル機能を有しており、ソフトキーを含む画面が表示される。ユーザーは画面を見ながらソフトキーを操作することによって、コピー等の機能の実行に必要な設定等をする。
【００３６】
操作キー部４０１にはハードキーからなる操作キーが設けられている。具体的にはスタートキー４０５、テンキー４０７、ストップキー４０９、リセットキー４１１、コピー、プリンター、スキャナー及びファクシミリを切り換えるための機能切換キー４１３等が設けられている。
【００３７】
スタートキー４０５はコピー、ファクシミリ送信等の動作を開始させるキーである。テンキー４０７はコピー部数、ファクシミリ番号等の数字を入力するキーである。ストップキー４０９はコピー動作等を途中で中止させるキーである。リセットキー４１１は設定された内容を初期設定状態に戻すキーである。
【００３８】
機能切換キー４１３はコピーキー及び送信キー等を備えており、コピー機能、送信機能等を相互に切り替えるキーである。コピーキーを操作すれば、コピーの初期画面が表示部４０３に表示される。送信キーを操作すれば、ファクシミリ送信及びメール送信の初期画面が表示部４０３に表示される。
【００３９】
図２は、図１に示す画像形成装置１の構成を示すブロック図である。画像形成装置１は装置本体１００、原稿読取部２００、原稿給送部３００、操作表示部４００、制御部５００及び通信部６００がバスによって相互に接続された構成を有する。装置本体１００、原稿読取部２００、原稿給送部３００及び操作表示部４００に関しては既に説明したので、説明を省略する。
【００４０】
制御部５００はＣＰＵ(Central Processing Unit)、ＲＯＭ(Read Only Memory)及びＲＡＭ(Random Access Memory)等を備える。ＣＰＵは画像形成装置１を動作させるために必要な制御を、装置本体１００等の画像形成装置１の上記構成要素に対して実行する。ＲＯＭは画像形成装置１の動作の制御に必要なソフトウェアを記憶している。ＲＡＭは画像形成装置１のメインメモリーであり、ソフトウェアの実行時に発生するデータの一時的な記憶及びアプリケーションソフトの記憶等に利用される。ＲＡＭは例えば、ＤＲＡＭ(Dynamic Random Access Memory)である。
【００４１】
通信部６００はファクシミリ通信部６０１及びネットワークＩ／Ｆ部６０３を備える。ファクシミリ通信部６０１は相手先ファクシミリとの電話回線の接続を制御するＮＣＵ(Network Control Unit)及びファクシミリ通信用の信号を変復調する変復調回路を備える。ファクシミリ通信部６０１は電話回線６０５に接続される。
【００４２】
ネットワークＩ／Ｆ部６０３はＬＡＮ(Local Area Network)６０７に接続される。ネットワークＩ／Ｆ部６０３はＬＡＮ６０７に接続されたパソコン等の端末装置との間で通信を実行するための通信インターフェイス回路である。
【００４３】
本実施形態に係る画像読取装置の構成を説明する。図３は、本実施形態に係る画像読取装置３の構成を示すブロック図である。図１に示す原稿読取部２００が画像読取装置３として機能する。画像読取装置３は移動しない固定部分及び副走査方向Ｄに移動可能な可動部分を備える。可動部分はキャリッジ２０１であり、移動手段１０によって副走査方向Ｄに移動可能にされている。
【００４４】
キャリッジ２０１には光源１１、撮像素子１２、反射光学系１３、及びインバーター１４等が配置されている。光源１１は原稿台２０３に載置された原稿１５や基準原稿２０６に光Ｌを照射する。光源１１としては、例えば、冷陰極管ランプやＬＥＤであり、本実施形態では冷陰極管ランプを例に説明する。
【００４５】
撮像素子１２は原稿１５から反射された光Ｌを受光し、原稿１５の画像を示すアナログ画像信号Ｓ２を出力するラインセンサーである。撮像素子１２としては、ＣＣＤセンサーやＣＭＯＳセンサーを用いることができる。本実施形態ではＣＣＤセンサーを例に説明する。
【００４６】
反射光学系１３は複数のミラー等により構成され、光源１１から原稿１５に照射された光Ｌが原稿１５で反射され、その反射光を撮像素子１２に導く機能を有する。
【００４７】
上記固定部分は移動手段１０、第１の周辺回路１６、第２の周辺回路１７、レベル測定部１８、電力制御部１９及び電源２０を含む。
【００４８】
移動手段１０はキャリッジ２０１を副走査方向Ｄに移動可能にする。移動手段１０はキャリッジ２０１を副走査方向Ｄにガイドするレール(不図示)及び、キャリッジ２０１をそのレールに沿って移動させる動力を供給するモーター(不図示)等により構成される。
【００４９】
第１の周辺回路１６は撮像素子１２に供給するデジタル制御信号を生成する。この制御信号には撮像素子１２であるＣＣＤセンサー内で電荷を転送するのに用いるクロック信号Ｓ１が含まれる。第１の周辺回路１６と撮像素子１２とは、第１の配線２１によって接続されている。第１の配線２１はデジタル制御信号を伝送する。
【００５０】
第２の周辺回路１７は撮像素子１２から出力されたアナログ出力信号が入力される。この出力信号にはアナログ画像信号Ｓ２が含まれる。第２の周辺回路１７はアナログフロントエンドの機能を有し、撮像素子１２から出力されたアナログ画像信号Ｓ２に所定の処理(例えば、画像信号をアナログからデジタルに変換する)をする。第２の周辺回路１７と撮像素子１２とは、第２の配線２２によって接続されている。第２の配線２２はアナログの出力信号を伝送する。
【００５１】
レベル測定部１８は第１の配線２１から輻射される第１の電磁波Ｅ１及び第２の配線２２から輻射される第２の電磁波Ｅ２のレベルを測定する。第１の配線２１から輻射される第１の電磁波Ｅ１とは、クロック信号Ｓ１を輻射源とする不要輻射である。第２の配線２２から輻射される第２の電磁波Ｅ２とは、アナログ画像信号Ｓ２を輻射源とする不要輻射である。レベル測定部１８は第１のアンテナ２３、第２のアンテナ２４及びレベル算出部２５を含む。
【００５２】
第１のアンテナ２３は第２の配線２２よりも第１の配線２１に近い位置に設けられ、第１の配線２１から輻射される第１の電磁波Ｅ１を受信する。第２のアンテナ２４は第１の配線２１よりも第２の配線２２に近い位置に設けられ、第２の配線２２から輻射される第２の電磁波Ｅ２を受信する。レベル算出部２５は第１のアンテナ２３によって受信された第１の電磁波Ｅ１及び第２のアンテナ２４によって受信された第２の電磁波Ｅ２のレベルのそれぞれを算出する。
【００５３】
図４は、第１の配線２１、第２の配線２２、第１のアンテナ２３及び第２のアンテナ２４の位置関係を示す図である。第１の配線２１及び第２の配線２２は、フラットケーブル２６に収容されている。第１の配線２１はフラットケーブル２６の長手方向に沿った２辺のうち、一方の辺側に収容されている。第２の配線２２はフラットケーブル２６の長手方向に沿った２辺のうち、他方の辺側に収容されている。
【００５４】
第１の配線２１はクロック信号Ｓ１が伝送される配線２１ａを含む配線群である。第２の配線２２はアナログ画像信号Ｓ２が伝送される配線２２ａを含む配線群である。フラットケーブル２６の一方の辺側の一番外の配線が、クロック信号Ｓ１が伝送される配線２１ａとして割り当てられている。フラットケーブル２６の他方の辺側の一番外の配線が、アナログ画像信号Ｓ２が伝送される配線２２ａとして割り当てられている。
【００５５】
フラットケーブル２６は第１のアンテナ２３と第２のアンテナ２４との間に配置されている。第１のアンテナ２３は第１の配線２１側に配置され、第２のアンテナ２４は第２の配線２２側に配置されている。
【００５６】
図３の説明に戻る。電源２０はインバーター１４に電力を供給し、光源１１の電源２０となる。電源２０はその出力が可変にされている。
【００５７】
電力制御部１９は第１の電力制御部として機能し、レベル算出部２５によって算出された第１のアンテナ２３で受信された第１の電磁波Ｅ１及び第２のアンテナ２４で受信された第２の電磁波Ｅ２のレベルを示す信号が入力される。この信号を基にして、電力制御部１９は第１の配線２１から輻射された第１の電磁波Ｅ１のレベルと第２の配線２２から輻射された第２の電磁波Ｅ２のレベルとの差が、予め定められた範囲内になるように、電源２０の出力(すなわち、光源１１へ供給される電力)を制御する。予め定められた範囲とは、例えば、画像読取装置３で発生する不要輻射のレベルが規制値を超えないように、アナログ画像信号Ｓ２からの不要輻射のレベルとして許容される上限値(又は、余裕を持たせるために上限値より少し低い値)を超えないようにする範囲をいう。
【００５８】
第１の配線２１から放射される第１の電磁波Ｅ１(クロック信号Ｓ１による不要輻射)のレベルは、光源１１の照度に依存していないが、第２の配線２２から放射される第２の電磁波Ｅ２(アナログ画像信号Ｓ２による不要輻射)のレベルは、光源１１の照度に依存していることを説明する。図５は、光源１１の照度とクロック信号Ｓ１及びアナログ画像信号Ｓ２による不要輻射との関係を具体的数値で示している。クロック信号Ｓ１による不要輻射の周波数は７９．０９ＭＨｚであり、アナログ画像信号Ｓ２による不要輻射の周波数は６５．８８ＭＨｚである。
【００５９】
クロック信号Ｓ１による不要輻射のレベルは、光源１１の照度が２万３千４百ルクスの場合、１７．０デジベルであり、光源１１の照度が３万ルクスの場合、１６．８デジベルであり、その差は−０．２デジベルである。光源１１の照度が大きくなっても不要輻射のレベルはほとんど変わらない。これに対して、アナログ画像信号Ｓ２による不要輻射のレベルは、光源１１の照度が２万３千４百ルクスの場合、１８．３デジベルであり、光源１１の照度が３万ルクスの場合、２０．３デジベルであり、その差は＋２．０デジベルである。光源１１の照度が大きくなると不要輻射のレベルが大きくなっている。以上により、クロック信号Ｓ１による不要輻射のレベルは、光源１１の照度に依存していないが、アナログ画像信号Ｓ２による不要輻射のレベルは、光源１１の照度に依存していることが分かる。
【００６０】
本実施形態に係る画像読取装置の動作を、図３及び図６を主に用いて説明する。図６は、この動作を説明するフローチャートである。操作者が、画像形成装置１の電源のスイッチ(不図示)をオンすると、画像形成装置１が起動し、定着部１０５等が起動し、待機状態となる。このときキャリッジ２０１が基準原稿２０６の位置に移動し、電源２０からの電力がインバーター１４を介して光源１１に供給され、光源１１が点灯する(ステップＳ１)。
【００６１】
レベル測定部１８は第１の電磁波Ｅ１(クロック信号Ｓ１による不要輻射)のレベル及び第２の電磁波Ｅ２(アナログ画像信号Ｓ２による不要輻射)のレベルを測定する(ステップＳ２)。詳細に説明すると、第１の配線２１には、撮像素子１２に送られるクロック信号Ｓ１を含むデジタル制御信号が伝送されている。これにより、第１の配線２１から放射される第１の電磁波Ｅ１は、第１のアンテナ２３によって受信されて、レベル算出部２５に送られる。レベル算出部２５は第１の配線２１から放射された第１の電磁波Ｅ１のレベルを算出する。一方、第２の配線２２には撮像素子１２から出力されたアナログ画像信号Ｓ２を含むアナログ出力信号が伝送されている。これにより、第２の配線２２から放射される第２の電磁波Ｅ２は、第２のアンテナ２４によって受信されて、レベル算出部２５に送られる。レベル算出部２５は第２の配線２２から放射された第２の電磁波Ｅ２のレベルを算出する。
【００６２】
電力制御部１９は、レベル算出部２５で演算された第１の電磁波Ｅ１のレベルと第２の電磁波Ｅ２のレベルとの差が、予め定められた範囲内か否かを判断する(ステップＳ３)。
【００６３】
電力制御部１９が、上記差が予め定められた範囲内と判断しない場合(ステップＳ３でＮｏ)、電力制御部１９は、電源２０の出力を制御する(ステップＳ４)。詳細に説明すると、第２の配線２２から輻射された第２の電磁波Ｅ２のレベルが、第１の配線２１から輻射された第１の電磁波Ｅ１のレベルよりも高い場合、電源２０の出力を下げて、光源１１へ供給される電力を下げる制御をする。これにより、光源１１の照度が下がるので、アナログ画像信号Ｓ２のレベルを下げることができ、第２の配線２２から放射される第２の電磁波Ｅ２のレベルを下げることができる。
【００６４】
これに対して、第２の配線２２から輻射された第２の電磁波Ｅ２のレベルが、第１の配線２１から輻射された第１の電磁波Ｅ１のレベルよりも低い場合、電源２０の出力を上げて、光源１１へ供給される電力を大きくする制御をする。これにより、光源１１の照度が上がるので、光源１１の照度が下がり過ぎることを防止できる。
【００６５】
光源１１へ供給される電力を大きくする制御が可能なのは、以下の理由からである。第１の電磁波Ｅ１のレベルは安定しており、第１の電磁波Ｅ１のレベルは規格で定められた規制値を満たすレベルにされている。従って、第２の電磁波Ｅ２のレベルが第１の電磁波Ｅ１のレベルよりも低い場合、第２の電磁波Ｅ２のレベルも規制値を満たしていることになる。よって、それ以上に第２の電磁波Ｅ２のレベルを下げる必要はない。また、第２の電磁波Ｅ２のレベルが第１の電磁波Ｅ１のレベルに満たなければ、規制値の範囲内で第２の電磁波Ｅ２のレベルを大きくできる余裕があるので、光源１１へ供給される電力を大きくすることが可能となる。
【００６６】
電力制御部１９が電源２０の出力を制御(ステップＳ４)した後、ステップＳ２へ戻る。
【００６７】
電力制御部１９が、上記差が予め定められた範囲内と判断した場合(ステップＳ３でＹｅｓ)、第２の周辺回路１７はアナログ画像信号Ｓ２により、各種の初期設定(例えば、入力ゲイン調整、シェーディング補正)をする(ステップＳ５)。制御部５００は、原稿台２０３に原稿１５がセットされ、かつスタートキー４０５(図１)が操作されたか否かを判断する。すなわち、制御部５００は、原稿の読み取りを開始する指示がされたか否かを判断する(ステップＳ６)。
【００６８】
制御部５００が、原稿の読み取りを開始する指示がされたと判断しない場合(ステップＳ６でＮｏ)、レベル測定部１８は所定のインターバル後(ステップＳ７)、ステップＳ２を実行する。
【００６９】
制御部５００が、原稿の読み取りを開始する指示がされたと判断した場合(ステップＳ６でＹｅｓ)、制御部５００は、画像読取装置３として機能する原稿読取装置２００に原稿１５の読み取り動作を開始させる(ステップＳ８)。
【００７０】
本実施形態の主な効果を説明する。本実施形態では、クロック信号Ｓ１を含むデジタル制御信号が伝送される第１の配線２１から輻射される第１の電磁波Ｅ１及びアナログ画像信号Ｓ２を含むアナログ出力信号が伝送される第２の配線２２から輻射される第２の電磁波Ｅ２のレベルを、レベル測定部１８によって測定する。そして、レベル測定部１８によって測定された第１の電磁波Ｅ１のレベルと第２の電磁波Ｅ２のレベルとの差が、予め定められた範囲内になるように、電力制御部１９が、光源１１へ供給される電力を制御する。
【００７１】
第１の電磁波Ｅ１は撮像素子１２に入力されるデジタル制御信号に含まれるクロック信号Ｓ１が輻射源となる不要輻射であり、第２の電磁波Ｅ２は撮像素子１２から出力されたアナログ出力信号に含まれるアナログ画像信号Ｓ２が輻射源となる不要輻射である。クロック信号Ｓ１は安定しているので、クロック信号Ｓ１が輻射源となる不要輻射のレベルは安定している。本実施形態によれば、クロック信号Ｓ１からの不要輻射のレベルを基準にして、アナログ画像信号Ｓ２からの不要輻射のレベルが、予め定められた範囲内になるように、光源１１へ供給される電力を制御している。従って、撮像素子１２から出力されるアナログ画像信号Ｓ２による不要輻射のレベルを抑えることが可能となる。
【００７２】
また、本実施形態によれば、基準となるレベルをクロック信号Ｓ１からの不要輻射のレベルにするので、画像読取装置３の製造工程にいて、基準となるレベルの設定が不要となる。
【００７３】
さらに、本実施形態によれば、クロック信号Ｓ１による不要輻射のレベルとアナログ画像信号Ｓ２による不要輻射のレベルとの差が、予め定められた範囲内になるように、光源１１へ供給される電力を制御している。これにより、光源１１の光量がフィードバック制御されることになるので、光源１１の照度を所定の範囲に規制することができる。従って、読み取った画像の画質の安定化に寄与することができる。
【００７４】
本実施形態は、撮像素子１２が副走査方向Ｄに移動可能であり、第１の周辺回路１６及び第２の周辺回路１７が移動しないタイプの画像読取装置３なので、第１の配線２１及び第２の配線２２が長くなる。このため、第１の電磁波Ｅ１及び第２の電磁波Ｅ２のレベルが比較的大きくなる。上述したように、本実施形態によれば、撮像素子１２から出力されるアナログ画像信号Ｓ２による不要輻射のレベルを抑えることが可能となるので、上記タイプの画像読取装置３にとって特に有効である。なお、撮像素子１２が副走査方向Ｄに移動しないタイプの画像読取装置にも、本発明を適用することができる。
【００７５】
本実施形態では、第１のアンテナ２３が第１の配線２１に近い位置に設けられているので、第１のアンテナ２３は、クロック信号Ｓ１による不要輻射(第１の電磁波Ｅ１)及びアナログ画像信号Ｓ２による不要輻射(第２の電磁波Ｅ２)のうち、主に、クロック信号Ｓ１による不要輻射を受信できる。一方、第２のアンテナ２４が第２の配線２２に近い位置に設けられているので、第２のアンテナ２４は、クロック信号Ｓ１による不要輻射及びアナログ画像信号Ｓ２による不要輻射のうち、主に、アナログ画像信号Ｓ２による不要輻射を受信できる。よって、クロック信号Ｓ１による不要輻射のレベル及びアナログ画像信号Ｓ２による不要輻射のレベルの測定精度を向上させることができる。従って、例えば、画像読取装置３で発生する不要輻射のレベルが、規制値を超えないようにする精度を向上させることができる。
【００７６】
本実施形態によれば、図４に示すように、第１のアンテナ２３と第２のアンテナ２４との間に配置され、第１のアンテナ２３側に第１の配線２１、第２のアンテナ２４側に第２の配線２２をそれぞれ収容したフラットケーブル２６を備える。これにより、第１のアンテナ２３を第１の配線２１の近くに配置しつつ、第２の配線２２から離して配置することができると共に、第２のアンテナ２４を第２の配線２２の近くに配置しつつ、第１の配線２１から離して配置することができる。よって、クロック信号Ｓ１による不要輻射のレベル及びアナログ画像信号Ｓ２による不要輻射のレベルの測定精度を向上させることができる。
【００７７】
本実施形態の変形例を説明する。変形例は図３に示す電力制御部１９が、以下に説明する第２の電力制御部として機能する。第２の電力制御部はレベル算出部２５によって算出された第１の電磁波Ｅ１及び第２の電磁波Ｅ２のレベルを示す信号が入力される。この信号を基にして、電力制御部１９は次の(１)及び(２)の処理をする。
【００７８】
(１)第２の電磁波Ｅ２のレベルが第１の電磁波Ｅ１のレベルより高い場合、第１の電磁波Ｅ１のレベルと第２の電磁波Ｅ２のレベルとの差が、予め定められた範囲内になるように、電源２０の出力(すなわち、光源１１へ供給される電力)を制御する。    
【００７９】
(２)第２の電磁波Ｅ２のレベルが第１の電磁波Ｅ１のレベルより低い場合、(１)の制御を実行しない。
【００８０】
変形例の動作を説明する。図７はこの動作を説明するフローチャートである。図６に示すフローチャートとの違いは、ステップＳ２とステップＳ３との間にステップＳ９が追加されたことである。
【００８１】
電力制御部１９は、レベル算出部２５で算出された第１の電磁波Ｅ１のレベルと第２の電磁波Ｅ２のレベルとについて、第２の電磁波Ｅ２のレベルが第１の電磁波Ｅ１のレベルより高いか判断する(ステップＳ９)。
【００８２】
電力制御部１９が、第２の電磁波Ｅ２のレベルが第１の電磁波Ｅ１のレベルより高いと判断しない場合(ステップＳ９でＮｏ)、すなわち、第２の配線２２から輻射された第２の電磁波Ｅ２のレベルが、第１の配線２１から輻射された第１の電磁波Ｅ１のレベルより低いと判断した場合、ステップＳ５へ進む。
【００８３】
電力制御部１９が、第２の電磁波Ｅ２のレベルが第１の電磁波Ｅ１のレベルより高いと判断した場合(ステップＳ９でＹｅｓ)、ステップＳ３へ進む。
【００８４】
変形例の効果を説明する。変形例によれば、第２の電磁波Ｅ２(アナログ画像信号Ｓ２による不要輻射)のレベルが第１の電磁波Ｅ１(クロック信号Ｓ１による不要輻射)のレベルより高い場合に限り、これらの電磁波のレベルの差が、予め定められた範囲内になるように、光源１１へ供給される電力を制御する。
【００８５】
クロック信号Ｓ１は安定しているので、クロック信号Ｓ１による不要輻射のレベルは安定している。このため、画像読取装置３で発生する不要輻射が規制値を超える可能性があるのは、アナログ画像信号Ｓ２による不要輻射のレベルが、クロック信号Ｓ１による不要輻射のレベルよりも高い場合である。変形例によれば、アナログ画像信号Ｓ２による不要輻射のレベルが、クロック信号Ｓ１による不要輻射のレベルより低い場合、これらの電磁波のレベルの差が、予め定められた範囲内になるように、光源１１へ供給される電力を制御する処理をしない。これにより、第２の電力制御部として機能する電力制御部１９の負担を減らすことが可能となる。
【符号の説明】
【００８６】
１  画像形成装置
３  画像読取装置
１１  光源
１２  撮像素子
１５  原稿
１６  第１の周辺回路
１７  第２の周辺回路
１８  レベル測定部
１９  電力制御部(第１の電力制御部、第２の電力制御部)
２０  電源
２１  第１の配線
２２  第２の配線
２３  第１のアンテナ
２４  第２のアンテナ
２５  レベル算出部
２６  フラットケーブル
Ｄ  副走査方向
Ｅ１  第１の電磁波
Ｅ２  第２の電磁波
Ｌ  光
Ｓ１  クロック信号
Ｓ２  アナログ画像信号
【図１】
0005608621.tif 000002
【図２】
0005608621.tif 000003
【図３】
0005608621.tif 000004
【図４】
0005608621.tif 000005
【図５】
0005608621.tif 000006
【図６】
0005608621.tif 000007
【図７】
0005608621.tif 000008